(57)【要約】【課題】本発明は、構成簡易にして、耐久性の向上を図り得、且つ、長期間に亘る好感触な握持を実現し得るようにすることにある。【解決手段】  元竿管１０の後端部の外周にグリップと称する筒状の低比重部材で形成した握り部本体１１が嵌着され、該握り部本体１１の前部、後部の少なくともいずれか一方に元竿管１０と前記握り部本体１１との固定力よりも大きい固定力を有する固定力強固部を設け、握り部の破損を防止するように構成したものである。  【選択図】        図１
2005287379.tif 000002
【特許請求の範囲】
【請求項１】
釣竿の元竿杆の後端部領域に比重が０．０５〜０．２である低比重部材で形成した握り部本体を装着し、該握り部本体の前部、後部の少なくともいずれか一方に前記握り部本体と前記元竿杆との固定力よりも大きい固定力を有する固定力強固部領域を設けていることを特徴とするへら竿の握り。
【請求項２】
前記、固定力強固部領域は接着層の厚みが前記握り部本体の他の領域よりも厚い事を特徴とする請求項１記載のへら竿の握り。
【請求項３】
前記握り部本体の前部、後部の少なくともいずれか一方は該握り部本体とは別部材で構成されている握り部別体を設けたことを特徴とする請求項１、２記載のへら竿の握り。
【請求項４】
前記握り部別体の比重は０．１５〜０．３５であって前記握り部本体よりも硬度が高い部材を配設した事を特徴とする請求項３記載のへら竿の握り。
【請求項５】
前記握り部別体の比重は０．１５〜０．３５であって前記握り部本体よりも柔軟性を有する部材を配設した事を特徴とする請求項３記載のへら竿の握り。
【請求項６】
前記握り部別体の少なくともいずれか一方は握り部本体との境界部が軸芯に対し同軸状に設けられた凹凸によって嵌合されていることを特徴とする請求項３〜５記載のへら竿の握り。
【請求項７】
前記握り部本体の外周に被覆部材を設けた事を特徴とする請求項１〜６記載のへら竿の握り。
【発明の詳細な説明】
【技術分野】
【０００１】
この発明は、例えばへら竿等の釣竿に関する。
【背景技術】
【０００２】
一般に、釣竿は、竿管の後端部に発泡ウレタンやコルク等で形成されたグリップと称する握り部が設けられ、この握り部を手に持って竿の振り込み動作が行われる。このような握り部は、竿管の後端部の周囲に嵌着されて被着され、竿管の後端に尻栓が取り付けられて竿管に固定される。
【０００３】
また、握り部としては、竿管にコルクや発泡ウレタン等の比重の小さい材料を嵌着して被着し、その外周に滑り止め用糸が巻き込まれ、さらに、糸の上から合成樹脂が塗布されて形成されたものや外層をゴム等の薄肉成形物によって形成されたものがある。（例えば、特許文献１、特許文献２参照）そして、この握り部は、竿管の後端にＡＢＳ樹脂等の合成樹脂製や木製の尻栓が取り付けられて竿管に固定される。
【０００４】
【特許文献１】特開昭６０−１７９１７１号公報
【特許文献２】特開昭６２−３６６６７号公報
【発明の開示】
【発明が解決しようとする課題】
【０００５】
しかしながら、上記従来の釣竿では、握り部を構成するコルクや発泡ウレタンに、材質上、密な部分と疎な部分が存在し、握り部を元竿管に取り付ける場合も接着剤が、いわゆるしごかれて塗布量が少なくなる部位が発生し、握り部を釣り人が握り、振り込み動作を繰り返し実行するために、割れや陥没が発生し必ずしも耐久性が有るとは言い難い状況にあった。
【０００６】
解決しようとする課題は、上記の事情に鑑みてなされたもので、構成簡易にして、軽量化を損なう事無く、耐久性を図り得、且つ、長期間に亘る好感触な握持を実現し得るようにした釣竿を提供することを目的とする。
【課題を解決するための手段】
【０００７】
請求項１に係わる発明では、釣竿の元竿杆の後端部領域に比重が０．０５〜０．２である低比重部材で形成した握り部本体を装着し、該握り部本体の前部、後部の少なくともいずれか一方に前記握り部本体と前記元竿杆との固定力よりも大きい固定力を有する固定力強固部領域を設けていることを特徴とするへら竿の握り部を提供する。
【０００８】
請求項２では、前記、固定力強固部領域は接着層の厚みが前記握り部本体の他の領域よりも厚い事を特徴とする請求項１記載のへら竿の握りを提供する。
【０００９】
請求項３では、前記握り部本体の前部、後部の少なくともいずれか一方は該握り部本体とは別部材で構成されている握り部別体を設けたことを特徴とする請求項１、２記載のへら竿の握りを提供する。
【００１０】
請求項４では、前記握り部別体の比重は０．１５〜０．３５であって前記握り部本体よりも硬度が高い部材を配設した事を特徴とする請求項３記載のへら竿の握りを提供する。
【００１１】
請求項５では、前記握り部別体の比重は０．１５〜０．３５であって前記握り部本体よりも柔軟性を有する部材を配設した事を特徴とする請求項３記載のへら竿の握りを提供する。
【００１２】
請求項６では、前記握り部別体の少なくともいずれか一方は握り部本体との境界部が軸芯に対し同軸状に設けられた凹凸によって嵌合されていることを特徴とする請求項３〜５記載のへら竿の握りを提供する。
【００１３】
請求項７では、前記握り部本体の外周に被覆部材を設けた事を特徴とする請求項１〜６記載のへら竿の握りを提供する。
【発明の効果】
【００１４】
この発明によれば、へら釣りは握り部への力の掛かり方が特有で、先部と元部に集中荷重が掛かり破損し易いが、その領域に握り部本体よりも元竿杆との固定力の大きい領域を設けることにより軽量化の促進を図ったうえで握り部の耐久性を備える事が可能となる。
【発明を実施するための最良の形態】
【００１５】
以下、この発明の実施の形態について図面を参照して詳細に説明する。
図１は、本発明に係るへら竿の握りを握持した状態を示す縦断面図である。へら竿の握りを握持する場合、人指し指を握りの前端部に当接しあたりを察知した段階で人差し指で強く握り部前端部を押圧する。又、手の平下部はあたりを察知した段階、魚の取り込み時、仕掛けの投擲時に強く握り部後端部を押圧する。その結果、握り部の前端部と後端部は繰り返しの応力集中により破損し易い。
【００１６】
図１は、この発明の第１の実施の形態に係る釣竿の握り領域を構成する握り部２０を取り出して示すもので、例えば中空状に形成される元竿管１０には、その後端部の外周にグリップと称する筒状の握り部本体１１が嵌着される。この握り部２０は比重が０．０５〜０．２好ましくは０．０５〜０．１５である低比重部材で形成した例えば発泡ウレタンやコルク等で略紡錘形状に形成され、元竿管１０に接着等により固定される。比重が０．０５〜０．２好ましくは０．０５〜０．１５である低比重部材であれば軽量化を阻害することなく握り部を形成することが出来る。
【００１７】
また、上記元竿管１０の後端には、尻栓１３が、上記握り部の後端を閉塞するように取り付けられる。この尻栓１３は、例えばＡＢＳ樹脂、ナイロン、木等で形成される。
【００１８】
上記構成において、握り部本体１１及び尻栓１３を元竿管１０に取り付ける場合には、先ず、元竿管１０の外周及び握り部本体１１の内面にエポキシ樹脂等の接着剤を塗布し、握り部本体１１を元竿管１０の後端より所定の位置に挿入して相互間を両面接着させる。この際、握り部本体１１は接着剤がいわゆるしごかれて塗布量が少なくならないように該握り部本体の前部、後部の少なくともいずれか一方の元竿管と前記握り部本体の内面に接着剤が留まり易い構造となっている。即ち握り部本体の前部、後部以外の元竿管と握り部内面との空間よりも若干、大きな空間、握り部内径で０．０３mm〜０．１mm大きく形成することにより、接着剤がいわゆるしごかれて塗布量が少なくなる部位が発生しにくく、握り部と元竿管をより強固に固定する固定力強固部２１１、２１２を形成することが出来る。この際、０．０３mmよりも小さくては接着剤がしごかれる可能性があり、０．１ｍｍよりも大きくては接着剤が回りきらずに固定力が低減する可能性もある。
その後、尻栓１３を竿管１０の内面に後方から接着剤を塗布した上で押し込み接着させる。
【００１９】
また、握り部本体の前部、後部の少なくともいずれか一方の内面若しくは相対する元竿管外面に凹凸を形成する構造としてもよい。この場合の凹凸は、それ以外の握り部本体内面若しくは元竿管外面よりも高さ、若しくは深さが大きければ良い。
その結果、双方がより密着して剥離し難く固定力が増す。また、接着剤の中に粒径の小さい例えば砂を混入させることにより接着剤が流動しにくく、握り部と元竿杆をより強固に固定することが出来る。ここで固定力強固部は軸長方向、周方向、径方向いずれかの固定する力が強固であることと定義する。
【００２０】
図２は、この発明の第２の実施の形態に係る釣竿の握り領域を構成する握り部２０を取り出して示すもので、例えば中空状に形成される元竿管１０には、その後端部の外周にグリップと称する筒状の握り部本体２１が嵌着される。この握り部本体２１は比重が０．０５〜０．２好ましくは０．０５〜０．１５である低比重部材で形成した例えば発泡ウレタンで略紡錘形状に形成され、元竿管１０に接着等により固定されている。
【００２１】
また、握り部本体２１の前部、後部に該握り部本体２１とは別部材で構成され、比重は０．１５〜０．３５好ましくは０．２〜０．３であって前記握り部本体２１よりも硬度が高い握り部別体１１１、１１２を例えば硬質ウレタンフォームで形成した。硬質ウレタンフォームとはＮＣＯ（イソシアネート）基を２個以上有するポリイソシアネートとＯＨ（ヒドロキシル）基を２個以上有するポリオールを触媒（アミン化合物等）、発泡剤（水、フルオロカーボン等）、整泡剤（シリコーンオイル）などと一緒に混合して、泡化反応と樹脂化反応を同時に行わせて得られる均一なプラスチック発泡体の事である。
【００２２】
この構成によると握り部別体１１１及び１１２は握り部本体２１よりも発泡倍率を上げることにより、作成出来、その結果、発泡体のセル目が細かくなり握り部別体自体の強度が強くなる。固定力強固部の構成は前述の通りであり、握り部別体は変形し難く、操作性が良好であり、強い力が作用しても握り部自体も破壊し難く元竿杆からも剥離し難い。
又、硬質ウレタンフォームの代わりに半硬質ウレタンフォームを使用しても良い。
ここで、握り部本体２１と握り部別体１１１、１１２は接着等によってあらかじめ握り部を一体で形成しても良いし、釣竿を組み立てる際に別個に挿入接着をしても良い。
ここで硬度とはＳＲＩＳ（日本ゴム協会規格）０１０１のＣ型の硬度である。
又、前記握り部本体２１よりも硬度が高い握り部別体１１１、１１２の外表面に滑り抵抗が大きな部分を設けても良い。その結果、握持時、手が滑りにくく、外周に糸巻き等を施す場合、糸滑りやズレが発生しにくい。
【００２３】
また、握り部本体２１の前部、後部に該握り部本体２１とは別部材で構成され、比重は０．１５〜０．３５好ましくは０．２〜０．３であって前記握り部本体２１よりも衝撃を吸収する弾性体等で構成された握り部別体１１１、１１２をゴム、ＥＶＡ、ＰＥ等で形成しても良い。この場合、握持した手が痛くならず、衝撃を吸収、分散し、変形が起きても固定力強固部領域を設けているために破損し難い。
弾性体とは力を加えればその力の大きさに比例して伸び、力を加えるのを止めれば元の形に戻る物体のことを指す。握り部別体１１１、１１２はバネを用いて形成しても良い。
【００２４】
図３は、この発明の第３の実施の形態に係る釣竿の握り領域を構成する握り部２０を取り出して示すもので、例えば中空状に形成される元竿管１０には、その後端部の外周にグリップと称する筒状の握り部本体３１が嵌着される。この握り部本体３１は比重が０．０５〜０．２好ましくは０．０５〜０．１５である低比重部材で形成した例えば発泡ウレタンで略紡錘形状に形成され、元竿管１０に接着等により固定されている。
【００２５】
また、握り部本体３１の前部、後部に該握り部本体３１とは別部材で構成された握り部別体３１１、３１２が形成されている。該握り部本体３１と握り部別体３１１、３１２は前後少なくとも一方は凹凸により嵌合固定されている。軸心に対し同軸状に設けられた凹凸嵌合によって双方が偏芯することなく固定することができる。
その結果、握り部本体３１と握り部別体３１１、３１２はその境界部の外表面が略面一に形成され、連続的になだらかに形成される。
又、元竿杆１０の外面と握り部別体３１１、３１２の内面との間に形成される空間に偏りが出来難く、より強固に握り部と元竿杆を固定することが出来る。尚、凸部は図示の様な握り部別体３１１、３１２側に設けても良いし握り部本体３１側に設けても良い。
【００２６】
図４は、図２の握り部外表面に例えば巻糸を巻回した状態を後端部を拡大して表した図である。
握り部外表面に巻糸を巻回し、糸止めを施す事によって外表面の破損、特に外表面からの初期破壊を防ぐことが出来る上、好感触で長期間に亘り握り心地の良さを維持出来る。又、巻糸の代わりにチューブ等の被覆材を被せる事も出来る。
【産業上の利用可能性】
【００２７】
本発明は継式釣竿に適用できる。特に並継式の継式釣竿に好適に適用できる。しかし、その他の従来から振出式に継ぎ合わされていた継式釣竿にも適用できる。
【図面の簡単な説明】
【００２８】
【図１】図１は本発明に係る第１実施例で、継式釣竿の握り部横断面図と握持した状態を表す側面図である。
【図２】図２は本発明に係る他の形態の継式釣竿の、握り部横断面図である。
【図３】図３は本発明に係る更に他の形態の継式釣竿の、握り部横断面図である。
【図４】図４は図２の後端部拡大横断面図である。
【符号の説明】
【００２９】
１０  元竿杆
１１、２１、３１  握り部本体
１２ 被覆材
１３  尻栓
２０  握り部
１１１、１１２、３１１、３１２ 握り部別体
２１１、２１２ 固定力強固部
３２１、３２２ 嵌合凸部
【図１】
2005287379.tif 000003
【図２】
2005287379.tif 000004
【図３】
2005287379.tif 000005
【図４】
2005287379.tif 000006